(57)【要約】【課題】  階層数に対して居室数を多く設けることができて、住戸に十分な上下方向の広がりを持たせることができ、又、従来に比べて、階段の高さ（段数）を減少させて、下階居室と上階居室との距離感を無くし、住戸としての一体感が生じ易くなるようにしたメゾネット型住宅の居室構造の提供。【解決手段】  上下方向に複数階層の主居室１，２を備えることで１住戸を構成するメゾネット型住宅の居室構造において、各階主居室の中程高さ位置に床面を形成させるように複数階層の中間居室１ａ，２ａを形成させると共に、最上階主居室の上方に小屋裏部屋３を形成させ、各階主居室の床面と各中間居室の床面との間に階段１５，１６，２５を形成させると共に、最上階中間居室の床面と小屋裏部屋の床面との間に階段２６を形成させた。【選択図】  図１
2006183347.tif 000002
【特許請求の範囲】
【請求項１】
上下方向に複数階層の主居室を備えることで１住戸を構成するメゾネット型住宅の居室構造において、
各階主居室の中程高さ位置に床面を形成させるように複数階層の中間居室を形成させると共に、最上階主居室の上方に小屋裏部屋を形成させ、
前記各階主居室の床面と各中間居室の床面との間に階段を形成させると共に、最上階中間居室の床面と小屋裏部屋の床面との間に階段を形成させたことを特徴とするメゾネット型住宅の居室構造。
【請求項２】
１棟の中に複数の住戸を左右方向に隣接させた集合住宅に形成させたメゾネット型住宅の居室構造であって、
各住戸の同一階中間居室に玄関ホールを形成させ、
その各玄関ホールを各住戸で共有させる屋内通路に連続させて、各住戸の玄関口を前記屋内通路に面して形成させている請求項１記載のメゾネット型住宅の居室構造。
【発明の詳細な説明】
【技術分野】
【０００１】
本発明は、上下に隣接した複数階の居室で１住戸を構成するメゾネット型住宅の居室構造に関する。
【背景技術】
【０００２】
従来、下階居室と上階居室の間に階段を設けることで住戸を上下方向に広げ、かつ上階居室に小屋裏部屋（ロフト）を設けるようにしたメゾネット型住宅が知られている（特許文献１参照）。
【０００３】
この従来のメゾネット型住宅では、下階居室の天井の一部を吹き抜け部とし、上階居室の適宜の高さ位置で前記吹き抜け部を閉鎖して小屋裏部屋を形成させたものである。
【０００４】
しかしながら、この従来のメゾネット型住宅では、小屋裏部屋を除けば、階層数と居室数が同一数、例えば、２階層住戸では、１階居室と２階居室との２居室であり、これでは、住戸を上下方向に広げるといっても、単なる２階建てに過ぎず、住戸に十分な上下方向の広がりを持たせたとは言い難い。
【０００５】
また、下階居室と上階居室との間には階段が設けられるもので、この場合の階段は、下階居室の床面から上階居室の床面までの高さで形成する必要がある。
従って、下階居室と上階居室との行き来に距離感が生じ、下階居室と上階居室とが分離したような感覚になり易く、住戸としての一体感が薄れがちになるという問題がある。
【特許文献１】登録実用新案第３０７９９９１号公報
【発明の開示】
【発明が解決しようとする課題】
【０００６】
本発明は、階層数に対して居室数を多く設けることができて、住戸に十分な上下方向の広がりを持たせることができ、又、従来に比べて、階段の高さ（段数）を減少させて、下階居室と上階居室との距離感を無くし、住戸としての一体感が生じ易くなるようにしたメゾネット型住宅の居室構造を提供することを課題としている。
【課題を解決するための手段】
【０００７】
上記の課題を解決するために、本発明（請求項１）のメゾネット型住宅の居室構造は、
上下方向に複数階層の主居室を備えることで１住戸を構成するメゾネット型住宅の居室構造において、
各階主居室の中程高さ位置に床面を形成させるように複数階層の中間居室を形成させると共に、最上階主居室の上方に小屋裏部屋（ロフト）を形成させ、
前記各階主居室の床面と各中間居室の床面との間に階段を形成させると共に、最上階中間居室の床面と小屋裏部屋の床面との間に階段を形成させた構成とした。
【０００８】
又、本発明（請求項２）のメゾネット型住宅の居室構造は、
前記請求項１記載のメゾネット型住戸の居室構造において、
１棟の中に複数の住戸を左右方向に隣接させた集合住宅に形成させたメゾネット型住宅の居室構造であって、
各住戸の同一階中間居室に玄関ホールを形成させ、
その各玄関ホールを各住戸で共有させる屋内通路に連続させて、各住戸の玄関口を前記屋内通路に面して形成させている態様とした。
【発明の効果】
【０００９】
本発明にかかるメゾネット型住宅の居室構造は、１住戸に複数階層の主居室と、複数階層の中間居室を有している。
【００１０】
例えば、２階層住戸とした場合、１階主居室と、２階主居室と、１階中間居室と、２階中間居室との合計４居室が設けられており、２階層住戸でありながら４居室を有し、住戸に十分な上下方向の広がりを持たせることができる。
なお、小屋裏部屋を居室として数えると、合計５居室を有していることになる。
【００１１】
又、中間居室は、床面が主居室の中程高さ位置になるように形成されているため、主居室と中間居室との間に設けた階段の高さ（段数）を、下階居室と上階居室との間に設けた従来の階段の高さよりも減少（半減）させることができる。
このため、主居室と中間居室との距離感が無くなり、住戸としての一体感が生じ易くなる。
又、階段の高さを減少できる分、階段の製作及び施工を簡単にすることができる。
【００１２】
なお、請求項２の居室構造のように、１棟の中に複数の住戸を左右方向に隣接させた集合住宅の場合、各住戸で共有する屋内通路を形成させて、この屋内通路に面して各住戸の玄関口を形成させることができる。
【発明を実施するための最良の形態】
【００１３】
図１〜図６は、本発明の第１実施例にかかるメゾネット型住宅の居室構造を示すもので、図１は縦断面図、図２は１階主居室を示す横断面図、図３は１階中間居室を示す横断面図、図４は２階主居室を示す横断面図、図５は２階中間居室を示す横断面図、図６は小屋裏部屋を示す横断面図である。
【００１４】
この第１実施例にかかるメゾネット型住宅は、上下方向に隣接した１階主居室１と２階主居室２を有する２階層住戸であり、２階主居室２の上方に小屋裏部屋３（ロフト）が形成されている。
又、このメゾネット型住宅は、図示省略したが、１棟の中に複数の住戸を左右方向に隣接させた集合住宅に形成されている。
【００１５】
そして、１階主居室１及び２階主居室２の中間高さ位置にそれぞれ床面１１，２１を形成させるように１階中間居室１ａ及び２階中間居室２ａが形成されている。
この場合、１階中間居室１ａは、２階主居室２の床（１階主居室の天井）の一部を開口して形成されている。
又、２階中間居室２ａは、小屋裏部屋３の床の一部を開口して形成されると共に、この２階中間居室２ａの天井２９と小屋裏部屋３の天井３９が連続して形成されている。
このようにして、２階層住戸の中に、１階主居室１、２階主居室２、１階中間居室１ａ、２階中間居室２ａの４つの居室と、１つの小屋裏部屋３が形成されている。
【００１６】
そして、１階主居室１の床面１０と１階中間居室１ａの床面１１の間に１階下側階段１５を設けると共に、１階中間居室１ａの床面１１と２階主居室２の床面２０の間に１階上側階段１６を設け、２階主居室２の床面２０と２階中間居室２ａの床面２１の間に２階下側階段２５を設けると共に、２階中間居室２ａの床面２１と小屋裏部屋３の床面３０の間に２階上側階段２６を設けている。
なお、前記各階段１５，１６，２５，２６には、手摺りが設けられている。
【００１７】
この場合、本実施例では、１階主居室１と１階中間居室１ａの高低差、１階中間居室１ａと２階主居室２の高低差、２階主居室２と２階中間居室２ａの高低差、２階中間居室２ａと小屋裏部屋３の高低差を同一に形成させて、各階段１５，１６，２５，２６の高さと段数（実施例では５段）を同一に形成させている。
このように、各階段１５，１６，２５，２６の高さや段数、それに幅員等を同一に形成させると、階段を規格化することができ、製作に際しての部品の共通化による生産コストの低減及び施工の簡素化を図ることができる。
【００１８】
前記各主居室１，２、各中間居室１ａ，２ａ、小屋裏部屋３の間取りは、自由に設定できる。
この実施例では、１階主居室１には、図２で示すように、玄関Ｇ及びシンクＳを備えたキッチンＫが形成されると共に、ユニットバスＵが設けられ、それに１階中間居室１ａの下方空間を床下収納室Ｎとして形成している。
１階中間居室１ａには、図３に示すように、ダイニングＤ及びトイレＴが形成されると共に、洗面台Ｍが設けられている。
又、２階主居室２及び２階中間居室２ａには、図４及び図５に示すように、洋室Ｒ１，Ｒ２が形成されると共に、屋外に連続してバルコニーＢ１，Ｂ２が形成されている。
又、小屋裏部屋３は物置部屋Ｌ１に形成されている。
【００１９】
従って、上記したメゾネット型住宅の居室構造は、２階層住戸でありながら、１階主居室１と、２階主居室２と、１階中間居室１ａと、２階中間居室２ａとの合計４居室が設けられており、上下方向に十分な広がりを持たせることができる。
【００２０】
又、中間居室１ａ，２ａを設けたので、各階段１５，１６，２５，２６の高さ（段数）を従来の階段の高さよりも減少（半減）させることができ、住戸としての一体感が生まれ易くなるし、階段の高さを減少できる分、階段の製作及び施工を簡単にすることができる。
【００２１】
また、例えば、図１１に示すように、１階居室１００と、２階居室２００を有する通常の２階層住戸において、２階居室２００の上方に小屋裏部屋３００（ロフト）を形成させる場合、その小屋裏部屋３００の上方は居室高さｈ１を低く設定するとしても、小屋裏部屋３００の下方は通常の居室高さｈ２に設定する必要がある。
このため、２階居室２００における小屋裏部屋３００が設けられていない場所の居室高さｈは、通常の居室高さｈ２に小屋裏部屋の居室高さｈ１を加算した高さになり（ｈ＝ｈ２＋ｈ１）、その加算した小屋裏部屋の居室高さｈ１の分がデッドスペース（図１１において、平行斜線で示す）になってしまうという問題がある。
【００２２】
これに対し、本発明のように、２階中間居室２ａを形成させると、この２階中間居室２ａの居室高さは、通常の居室高さになるため、デッドスペースが生じることがなく、建物空間を有効に利用できる。
【００２３】
次に、図７〜図１０は、本発明の第２実施例にかかるメゾネット型住宅の居室構造を示すもので、図７は縦断面図、図８は１階主居室及び１階中間居室を示す横断面図、図９は２階主居室及び２階中間居室を示す横断面図、図１０は小屋裏部屋を示す横断面図である。
【００２４】
この第２実施例にかかるメゾネット型住宅は、前記第１実施例と同様に、上下方向に隣接した１階主居室１と２階主居室２を有する２階層住戸であり、２階主居室２の上方に小屋裏部屋３（ロフト）が形成され、又、１棟の中に複数の住戸を左右方向に隣接させた集合住宅に形成されている。
【００２５】
居室構造についても、前記第１実施例と同様に、１階主居室１及び２階主居室２の中間高さ位置にそれぞれ床面１１，２１を形成させるように１階中間居室１ａ及び２階中間居室２ａが形成されている。
【００２６】
又、１階主居室１と１階中間居室２の間に１階下側階段１５を設けると共に、１階中間居室１ａと２階主居室２の間に１階上側階段１６を設け、２階主居室２と２階中間居室２ａの間に２階下側階段２５を設けると共に、２階中間居室２ａと小屋裏部屋３の間に２階上側階段２６を設けている。
【００２７】
そして、各住戸の１階中間居室１ａを玄関ホールＨに形成させ、その各玄関ホールＨを各住戸で共有させる屋内通路Ｃに連続させて、各住戸の玄関口Ｇ１を屋内通路Ｃに面して形成させている。
【００２８】
上記のように、各住戸の１階中間居室１ａに玄関ホールＨを形成させると共に、各住戸で共有させる屋内通路Ｃを、玄関ホールＨを形成させた前記１階中間居室１ａと同一フロア上に形成させた上で、各主居室１，２、各中間居室１ａ、２ａ、小屋裏部屋３の間取りは、自由に設定できる。
【００２９】
この実施例では、１階主居室１には、図８で示すように水回り設備が配置されており、シンクＳを備えたキッチンＫ及びトイレＴが形成されると共に、ユニットバスＵ及び洗面台Ｍが設けられ、それに玄関ホールＨの下方空間を床下収納室（図示省略）として形成している。
又、２階主居室２及び２階中間居室２ａには、図９及び図１０に示すように、洋室Ｒ１，Ｒ２が形成されると共に、２階主居室２には屋外に連続してバルコニーＢ１が形成されている。
又、小屋裏部屋３は寝室Ｌ２に形成されている。
【００３０】
この第２実施例は、１棟の中に複数の住戸を左右方向に隣接させた集合住宅において、各住戸で共有する屋内通路Ｃを形成させて、この屋内通路Ｃに面して各住戸の玄関口Ｇ１を形成させた居室構造の例であるが、前記第１実施例のように、屋内に各住戸の共有部を設けず、各住戸が完全に独立した集合住宅の居室構造についても本発明の居室構造を適用できる。
【００３１】
又、実施例では、２階層住戸を例に挙げたが、３階層住戸や３階層以上の複数階層住戸に形成してもよいし、又、建造形態も木造、ＲＣ造、鉄骨造を問わない。
【００３２】
又、中間居室の床面は、必ずしも上下に隣接した主居室間の真ん中に位置して形成する必要はなく、下側寄り或いは上側寄りに位置させるように形成してもよい。
このように、中間居室を下側寄り或いは上側寄りに位置して形成させると、これに伴ない、階段の段数を段違い（例えば、４段と６段、７段と３段）に形成することになる。
【００３３】
又、各主居室及び各中間居室の間取り及び設備の配置は任意事項であって、例えば、キッチン等の水回りを必ずしも１階に設ける必要はなく、２階や３階に設けてもよい。
【図面の簡単な説明】
【００３４】
【図１】本発明の第１実施例にかかるメゾネット型住宅の居室構造を示す縦断面図である。
【図２】その１階主居室を示す横断面図である。
【図３】その１階中間居室を示す横断面図である。
【図４】その２階主居室を示す横断面図である。
【図５】その２階中間居室を示す横断面図である。
【図６】その小屋裏部屋を示す横断面図である。
【図７】本発明の第２実施例にかかるメゾネット型住宅の居室構造を示す縦断面図である。
【図８】その１階主居室及び１階中間居室を示す横断面図である。
【図９】その２階主居室及び２階中間居室を示す横断面図である。
【図１０】その小屋裏部屋を示す横断面図である。
【図１１】通常の２階層住戸において、２階居室に小屋裏部屋（ロフト）を形成させた場合の居室高さを示す説明図である。
【符号の説明】
【００３５】
１  １階主居室
１ａ  １階中間居室
１０  床面
１１  床面
１５  １階下側階段
１６  １階上側階段
２  ２階主居室
２ａ  ２階中間居室
２０  床面
２１  床面
２５  ２階下側階段
２６  ２階上側階段
２９  天井
３  小屋裏部屋
３０  床面
３９  天井
Ｂ１，Ｂ２  バルコニー
Ｃ  屋内通路
Ｄ  ダイニング
Ｇ  玄関
Ｇ１  玄関口
Ｈ  玄関ホール
Ｋ  キッチン
Ｌ１  物置部屋
Ｌ２  寝室
Ｍ  洗面台
Ｎ  床下収納室
Ｒ１，Ｒ２  洋室
Ｓ  シンク
Ｔ  トイレ
Ｕ  ユニットバス
【図１】
2006183347.tif 000003
【図２】
2006183347.tif 000004
【図３】
2006183347.tif 000005
【図４】
2006183347.tif 000006
【図５】
2006183347.tif 000007
【図６】
2006183347.tif 000008
【図７】
2006183347.tif 000009
【図８】
2006183347.tif 000010
【図９】
2006183347.tif 000011
【図１０】
2006183347.tif 000012
【図１１】
2006183347.tif 000013